(57)【要約】【課題】排便などの汚物の回収作業の容易性および確実性を向上し、衛生的に排便を回収することができるペット用汚物回収袋を提供する。【解決手段】不透水性シートから成り、底部２および開口部３を有する袋体４の外方に臨む一方の表面５の底部２寄りの領域に、微細な凹凸６が全面にわたって形成される吸水性シート７を貼着し、平坦状に折畳まれた袋体４の内方に臨む一方の表面８の前記吸水性シート７が貼着される領域よりも開口部３寄りの領域に、長手方向一端部９を貼着し、この長手方向一端部９よりも長手方向他端部１０寄りの領域に、剥離可能な剥離シート１２によって覆われた粘着層１８を有する開口部封止用テープ１４を設ける。【選択図】　　　図２
2004081078.tif 000002
【特許請求の範囲】
【請求項１】
不透水性シートから成り、底部および開口部を有する袋体と、前記袋体を平坦状に折畳んだ状態で、その袋体の外方に臨む一方の表面の底部寄りの領域に貼着され、微細な凹凸が全面にわたって形成される吸水性シートと、
前記平坦状に折畳まれた袋体の内方に臨む一方の表面の前記吸水性シートが貼着される領域よりも開口部寄りの領域に貼着され、粘着層が形成される開口部封止用テープとを含むことを特徴とするペット用汚物回収袋。
【請求項２】
前記吸水性シートには、消臭剤が含浸されていることを特徴とする請求項１記載のペット用汚物回収袋。
【請求項３】
前記袋体は、光不透過性または光散乱性合成樹脂から成ることを特徴とする請求項１または２記載のペット用汚物回収袋。
【請求項４】
前記袋体には、抗菌剤が塗布されていることを特徴とする請求項１〜３のいずれか１つに記載のペット用汚物回収袋。
【発明の詳細な説明】
【０００１】
【発明の属する技術分野】
本発明は、自宅で飼育される犬などのペットが排泄した糞などの汚物を回収するために用いられるペット用汚物回収袋に関する。
【０００２】
【従来の技術】
近年、高齢化社会の進展や変化の激しい社会を反映し、癒しを求める傾向が見られ、国内での愛玩犬の飼育頭数は１０００万頭を超え、今後もこのような傾向は続くものと考えられる。愛玩犬は、卓上犬とも呼ばれ、主として室内で飼育される場合と、主として庭先で飼育される場合とがあり、いずれの場合も小形犬および中形犬が多いが、庭先での飼育については大形犬が増加傾向にある。愛玩犬が室内で飼育される場合には、ペットの専用トイレシーツなどが普及しており、排便および排尿を室内で回収して処理することができるため、問題化することは少ないが、庭先で飼育している愛玩犬の場合は、犬のストレスなどを解消して健康を維持および促進するため、毎日散歩させる必要がある。
【０００３】
この犬の散歩では、犬の習性によって便意を催すとその場で排便してしまうため、飼主は排便を回収するために、ポリエチレンフィルムまたはポリプロピレンフィルムから成る袋および新聞紙などを携帯し、犬が便意を催したとき、新聞紙によって回収し、前記袋に収容して持ち帰り、自宅のトイレに流すなどして処理されるが、前記袋および新聞紙は水に分解しないため、排便だけを自宅のトイレで水に流して処分した後、新聞紙を再び袋に戻して収容し、袋の開口部を閉じて、これを別のごみ袋にまとめて回収し、家庭内ごみとして廃棄しているため、回収した排便の処理に多くの手間を要するという問題がある。
【０００４】
このような問題を解決する他の従来の技術は、たとえば特開２０００−３４００１号公報に示されている。この従来の技術では、水溶性フィルムから成る内袋と、水分散性の紙から成る外袋とを有し、これらの内袋および外袋は、底部折返し部では分離し、底部折返し部以外の部位で接合された汚物処理袋が開示されている。このように構成される汚物処理袋では、袋に手を挿入して排便を掴み、水分散性の紙から成る外袋が内側になるように、前記水溶性フィルムから成る内袋を反転して、手を汚さずに確実に排便を袋に回収し、自宅のトイレへ流して処理することができる。
【０００５】
【発明が解決しようとする課題】
前述の特開２０００−３４００１号公報に示される従来の技術では、水分解性の紙から成る外袋の底部折返し部と、水溶性フィルムから成る内袋の底部折返し部とは接合されていないので、内袋内へ手を挿入して排便を把持するとき、内袋が外袋に対して滑ってしまい、排便を把持しにくく、特に手が汗ばんでいるときには、その手に内袋が付着して内袋が外袋からずれてしまい、排便を把持する際の作業性が悪く、排便を容易かつ確実に回収することが困難な場合が生じる。また、排便を把持する際、一方の手によって作業を行うが、他方の手は犬が繋がれた紐を把持している。排泄を終えた犬は、飼主が排便を回収し終えるまでの間、静止していることはなく、自由に動き回ってしまい、特に中形犬および大形犬では力が強く、飼主は排便の回収中に犬に移動によって手元がずれてしまい、水溶性フィルムに比べて剛性が高い水分解性の紙から成る外袋の開口部などに不用意に排便が付着し易く、外袋が内側となるように開口部を把持して袋を反転する作業を行うにあたって、衛生上好ましくないという問題がある。
【０００６】
本発明の目的は、排便などの汚物の回収作業の容易性および確実性を向上し、衛生的に排便を回収することができるペット用汚物回収袋を提供することである。
【０００７】
【課題を解決するための手段】
請求項１記載の本発明は、不透水性シートから成り、底部および開口部を有する袋体と、
前記袋体を平坦状に折畳んだ状態で、その袋体の外方に臨む一方の表面の底部寄りの領域に貼着され、微細な凹凸が全面にわたって形成される吸水性シートと、
前記平坦状に折畳まれた袋体の内方に臨む一方の表面の前記吸水性シートが貼着される領域よりも開口部寄りの領域に貼着され、粘着層が形成される開口部封止用テープとを含むことを特徴とするペット用汚物回収袋である。
【０００８】
本発明に従えば、袋体は、不透水性シートから成る筒状体の一端部が塞がれた底部および筒状体の他端部が開放した開口部を有する。このような袋体が平坦状に折畳まれた状態で、この袋体の外方に臨む一方の表面には、前記底部寄りの領域に吸水性シートが貼着される。この吸水性シートには、たとえばエンボス加工またはクレープ加工によって微細な凹凸が全面にわたって形成される。このような微細な凹凸が全面に形成される吸水性シートを用いることによって、犬などのペット動物が排泄した排便などの汚物を吸水性シートを介して手で把持したとき、特有の軟粘性に対する感触が緩和され、汚物を手で把持して回収することへの不快感を少なくし、または解消することができる。これによって汚物を把持することに対する嫌悪感を少なくし、その汚物を確実に把持して回収することが可能となる。
【０００９】
袋体の内方に臨む一方の表面には、開口部封止用テープが設けられる。この開口部封止用テープは、前記吸水性シートが貼着される領域よりも開口部寄りの領域に貼着され、粘着層が形成される。この開口部封止用テープは、袋体へ一方の手を挿入して前記汚物を吸水性シートによって把持し、他方の手によって袋体を吸水性シートが内側となるように反転して汚物を袋体内へ収容することによって、汚物を把持している吸水性シートよりも開口部寄りで外部へ露出し、容易に認識することができる。この外部へ露出した開口部封止用テープは、粘着層が露出する部分を袋体の開口部よりも底部寄りの位置に巻付けて封止し、汚物から発する臭気の周囲への放散を防止し、衛生的な状態で自宅などへ持帰って廃棄処理することができる。
【００１０】
前記開口部封止用テープは、袋体の前記吸水性シートと反対側の内面に、吸水性シートが貼着される領域よりも開口部寄りの領域に貼着される。したがって汚物を回収するために、袋体内に一方の手を挿入して汚物を吸水性シートによって把持して、前述のように吸水性シートが内側となるように、前記吸水性シートによって汚物を把持したままの状態を維持して、袋体を他方の手によって反転すると、前記開口部封止用テープが露出するので、汚物を一方の手から他方の手に持ち換えずに前記一方の手に把持したままで、開口部封止用テープを袋体の開口部付近に巻付けて、汚物を収容した袋体を封止することができる。
【００１１】
このように前記従来の技術のような剛性の高い水分解性の紙から成る外袋を用いずに、たとえばポリエチレンおよびポリプロピレンなどの不透水性シートから成る袋体を用い、その内面の底部寄りに吸水性シートが貼着されるので、袋体を容易に裏返して反転することができ、これによって排便などの汚物の回収作業の容易性および確実性を向上し、衛生的に排便を回収することが可能となる。
【００１２】
請求項２記載の本発明は、前記吸水性シートには、消臭剤が含浸されていることを特徴とする。
【００１３】
本発明に従えば、前記吸水性シートに含浸された消臭剤によって、袋体の開口部が前記開口部封止シートに完全に封止されずに臭気が外部へ漏洩したときの臭いの強さを緩和し、または回収後に自宅のトイレへ汚物を流して処分するために袋体を開放したときの臭気の放散による不快感を緩和することができる。
【００１４】
請求項３記載の本発明は、前記袋体は、光不透過性または光散乱性合成樹脂から成ることを特徴とする。
【００１５】
本発明に従えば、前記袋体が光不透過性または光散乱性合成樹脂から成ることによって、袋体内に回収された排便などの汚物が外部から直接見えず、清浄感および清潔感の低下を抑制することができる。
【００１６】
請求項４記載の本発明は、前記袋体には、抗菌剤が塗布されていることを特徴とする。
【００１７】
本発明に従えば、前記袋体に抗菌剤が塗布されるので、汚物とともに排泄された大腸菌などの病原菌の繁殖を抑制することができる。
【００１８】
【発明の実施の形態】
図１は、本発明の実施の一形態のペット用汚物回収袋１を示す断面図であり、図２はペット用汚物回収袋１の外観を示す斜視図である。本実施の形態のペット用汚物回収袋１は、不透水性シートから成り、底部２および開口部３を有する袋体４と、前記袋体４を２層が積重した平坦状に折畳んだ状態で、その袋体４の外方に臨む一方の表面５の底部２寄りの領域に貼着され、微細な凹凸６が全面にわたって形成される吸水性シート７と、前記平坦状に折畳まれた袋体４の前記吸水性シート７とは反対側の内面８（以下、内方に臨む一方の表面という場合がある）の前記吸水性シート７が貼着される領域よりも開口部３寄りの領域に、長手方向一端部９が貼着され、この長手方向一端部９よりも長手方向他端部１０寄りの領域には剥離可能な粘着層１８が形成される開口部封止用テープ１４とを含む。
【００１９】
このようなペット用汚物吸収袋１は、次のようにして製造される。すなわち、前記不透水性シートである厚みＴ１＝１５〜６０μｍのポリエチレンフィルム（略称ＰＥ）の前記外方に臨む一方の表面５に相当する一表面に、ホットメルト剤が塗布された吸水性シート７を加熱および加圧して接着し、前記ポリエチレンフィルムの前記反対側の内面８に、ホットメルト剤が前記長手方向一端部９に塗布された開口部封止用テープ１４を加熱および加圧して接着する。こうして吸水性シート７および開口部封止用テープ１４が貼着されたポリエチレンフィルムの長手方向に垂直な幅方向両端部を、前記一表面を内側にして折り返し、相互に重ねて熱融着する。
【００２０】
次に、前記ポリエチレンフィルムの幅方向両端部が熱溶着されて筒状となった部分は、カッター刃を有する加熱ローラが幅方向に走行することによって、前記長手方向に所定の長さで切断と同時に熱融着され、前述のように底部２が塞がれ、かつ開口部３が開放したペット用汚物回収袋１が製造される。このペット用汚物回収袋１は、手を挿入して中で広げることができる程度の大きさを有し、このような大きさとして、縦幅Ｈ１＝２５０〜４００ｍｍ、横幅Ｂ１＝１６０〜３００ｍｍに選ばれる。
【００２１】
前記吸水性シート７は、エンボス加工によって全面に前記凹凸６を形成した親水性の多孔質紙から成る。この多孔質紙は、横幅Ｂ２＝１６０〜３００ｍｍを有するロール紙を、縦幅Ｈ２＝１２０〜２００ｍｍの矩形に切断して前記ポリエチレンフィルムの一表面に貼着される。前記凹凸６が形成される吸水性シート７の厚みＴ２は、０．０５〜３ｍｍに選ばれる。このような吸水性シート７には、消臭剤が含浸されている。この消臭剤としては、たとえば葉緑素などが用いられる。また、前記袋体４の外表面には、抗菌剤が塗布されている。この抗菌剤としては、たとえば塩化ベンザルコニウムなどが用いられる。前記開口部封止用テープ１４は、幅Ｂ３＝７〜１２ｍｍ、長さＬ＝３０〜８０ｍｍに選ばれる。
【００２２】
図３は、開口部封止用テープ１４を簡略化して示す断面図であり、図３（１）は開口部封止用テープ１４が折畳まれた状態を示し、図３（２）は開口部封止用テープ１４が引出された状態を示す。前記開口部封止用テープ１４は、図３（１）に示されるように、ほぼ等しい長さを有する第１〜第３折畳み部１５ａ，１５ｂ，１５ｃの３つに折畳まれた状態で、袋体４の前記内方に臨む一方の表面８の開口部３寄りの領域に貼着される。第１折畳み部１５ａは、前記一方の表面８に対向する一表面に粘着層１６が設けられ、この粘着層１６が前記開口部３寄りの領域に貼着される。
【００２３】
第２折畳み部１５ｂは、第１折畳み部１５ａの長手方向一端部に連なり、第１折畳み部１５ａに対向する他表面には粘着層１７が設けられ、第２折畳み部１５ｂの他表面に貼着される。この粘着層１７は、第１折畳み部１５ａの前記粘着層１６よりも粘着力が弱い粘着剤が塗布されて実現され、図３（２）に示されるように、第１折畳み部１５ａから容易に剥離することができる。
【００２４】
第３折畳み部１５ｃは、第２折畳み部１５ｂの長手方向一端部に連なり、第２折畳み部１５ｂに対向する一表面には粘着層１８が設けられ、第２折畳み部１５ｂの他表面に貼着される。この粘着層１８は、第２折畳み部１５ｂの粘着層１７と同様に、第１折畳み部１５ａの粘着層１６よりも粘着力が弱い粘着剤が塗布されて実現され、図３（２）に示されるように、第２折畳み部１５ｂの一表面から容易に剥離することができる。第３折畳み部１５ｃの長手方向一端部の一表面には、使用時に手指で把持することが容易なように、剥離シート１２が貼着されている。
【００２５】
前記第１〜第３折畳み部１５ａ〜１５ｃの前記粘着層１６〜１８が塗布される基材は、たとえば撥水加工された加工紙または袋体４と同様な合成樹脂から成る。第１折畳み部１５ａは、前記長手方向一端部９を含み、第１折畳み部１５ａの全体が袋体４に貼着されて大きな強度で袋体４に固着されるが、本発明の実施の他の形態では、使用時に剥離シート１２が設けられる部分を手指で把持して引張っても第１折畳み部１５ａが袋体４から分離しない程度に固着されていれば、前記長手方向一端部９だけを袋体４に貼着するようにしてもよい。
【００２６】
図４は、ペット用汚物回収袋１による汚物Ｍの回収手順を説明するための図であり、図４（１）は携帯したペット用汚物回収袋１を汚物Ｍの回収のために広げた状態を示し、図４（２）はペット用汚物回収袋１内に一方の手３０を挿入した状態を示し、図４（３）はペット用汚物回収袋１によって汚物Ｍを把持する状態を示し、図４（４）はペット用汚物回収袋１を裏返す反転作業の開始状態を示し、図４（５）は反転したペット用汚物回収袋１に汚物Ｍを回収した状態を示し、図４（６）は汚物Ｍを回収したペット用汚物回収袋１の開口部３が開口部封止用テープによって封止した状態を示す。
【００２７】
上記のペット用汚物回収袋１を用いてペットが排泄した汚物Ｍを回収する手順について説明する。本実施の形態では、ペットととして、たとえば愛玩犬とも呼ばれる犬を散歩させている途中で、その犬が排便した場合を想定し、汚物Ｍである排便を回収する場合について述べる。散歩中に犬の排泄行為によって路上に排泄された汚物Ｍを回収するために、飼主はポケットなどに折畳んだ状態で携帯していたペット用汚物回収袋１を取り出し、図４（１）に示されるように展開して開口部３を開き、図４（２）に示されるように、一方の手３０、たとえば右手を挿入する。前記挿入した一方の手３０は、その掌が外部に露出する吸収性シート７に袋体４内から臨む。この状態で、吸水性シート７が汚物Ｍの直上に配置されるように、図４（３）に示されるように一方に手３０を移動させて、汚物Ｍを上方から覆い、そのまま把持する。このとき、袋体４の一方の表面には吸水性シート７が設けられるので、排便特有の軟粘性、すなわち、ぬるぬる感がなく、不快な感触を緩和し、またはなくすことができる。これによって汚物Ｍを把持することに対する嫌悪感を少なくし、その汚物を確実に把持して回収することが可能となる。
【００２８】
こうして汚物Ｍが確実に把持されると、図４（４）に示されるように、前記一方の手３０で汚物Ｍを把持したまま、たとえば左手である他方の手３１の指先によって、袋体４の開口部３付近を把持して底部２側に移動させ、袋体４を吸水性シート７が内側となるように表裏反転した後、前記一方の手３０をペット用汚物回収袋１から抜き取ることによって、図４（５）に示されるように、袋体４内に汚物Ｍを手を汚さずに衛生的に収容して回収することができる。このようにしてペット用汚物回収袋１を反転して汚物Ｍを収容した状態では、開口部封止用テープ１４は外部に露出し、袋体４の抗菌剤が塗布された表面５が内側に臨み、汚物Ｍの病原菌の繁殖が抑制され、たとえば家庭内で発生した一般生ごみとして廃棄することができる。
【００２９】
このようなペット用汚物回収袋１において、前記袋体４の内方に臨む一方の表面８には、開口部封止用テープ１４が設けられるので、剥離シート１２を前記他方の手３１で剥離して粘着層１８を露出させ、この粘着層１８が露出する部分を袋体４の開口部３よりも底部２寄りの位置に巻付けて封止し、汚物Ｍから発する臭気の周囲への放散を防止し、衛生的な状態で自宅などへ持帰って廃棄処理することができる。前記袋体４には、開口部封止用テープ１４が巻回される部位と開口部３との間の領域に、汚物回収後に手指を挿入することができる手提げ用孔を容易に形成するために、長円状または楕円状にミシン目４０が形成されてもよい。
【００３０】
前記開口部封止用テープ１４は、袋体４の前記吸水性シートと反対側の内面８に、吸水性シートが貼着される領域よりも開口部３寄りの領域に貼着されるので、汚物Ｍを回収するために、袋体４内に一方の手３０を挿入して汚物Ｍを袋体４によって把持して、前述のように吸水性シート７が内側となるように、前記吸水性シート７および袋体４を介して汚物Ｍを把持したままの状態を維持しながら袋体４を他方の手３１によって反転すると、前記開口部封止用テープ１４が露出するので、汚物Ｍを一方の手３０から他方の手３１に持ち換えずに把持したままで、剥離シート１２を他方の手３１で剥離し、袋体４の開口部３付近に巻付けて、汚物Ｍを収容した袋体４を封止し、このようにして排便などの汚物Ｍの回収作業を容易かつ確実に行うことができ、衛生的に排便を回収することが可能となる。
【００３１】
また、前記吸水性シート７に含浸された消臭剤によって、袋体４の開口部３から臭気が外部へ漏洩したとき、臭気の放散による不快感を緩和することができる。さらに、前記袋体４が光不透過性または光散乱性合成樹脂から成ることによって、袋体４内に回収された排便などの汚物Ｍが外部から直接見えず、清浄感および清潔感の低下を抑制することができる。さらに、前記袋体４に抗菌剤が塗布されるので、汚物Ｍに存在する大腸菌などの病原菌の繁殖を抑制することができる。
【００３２】
上述の実施の形態では、袋体４はポリエチレン（略称ＰＥ）製であったが、本発明の実施の他の形態では、前記袋体４はポリプロピレン（略称ＰＰ）から成ってもよい。
【００３３】
本発明の実施のさらに他の形態では、前記吸水性シート７に粉粒状の吸水ポリマを混入させ、水分を多く含む汚物Ｍから前記水分を吸収して吸水性シート７に保持し、開口部封止用テープ１４による封止状態が不充分であったとき、開口部３の隙間から汚水が漏洩することが防がれ、これによって汚物回収後の汚物用回収袋１が廃棄されるまで置かれている保管場所、たとえばゴミ箱などが汚損されてしまうことが防がれる。
【００３４】
【発明の効果】
請求項１記載の本発明によれば、袋体の外方に臨む一方の表面には、微細な凹凸が全面に形成される吸水性シートが貼着されるので、犬などのペット動物が排泄した排便などの汚物を吸水性シートを介して手で把持したとき、特有の軟粘性に対する感触が緩和され、汚物を手で把持して回収することへの不快感を少なくし、または解消することができる。これによって汚物を把持することに対する嫌悪感を少なくし、その汚物を確実に把持して回収することが可能となる。
【００３５】
また、袋体の内方に臨む一方の表面には、開口部封止用テープが設けられるので、袋体を吸水性シートが内側となるように反転して汚物を袋体内へ収容したとき、汚物を把持している吸水性シートよりも開口部寄りで外部上方へ露出し、容易に認識することができる。しかもこの外部へ露出した開口部封止用テープは、剥離シートを剥離して粘着層を露出させ、この粘着層が露出する部分を袋体の開口部よりも底部寄りの位置に巻付けて封止し、汚物から発する臭気の周囲への放散を防止し、衛生的な状態で自宅などへ持帰って廃棄処理することができる。
【００３６】
さらに、開口部封止用テープは、袋体の前記吸水性シートと反対側の内面に、吸水性シートが貼着される領域よりも開口部寄りの領域に貼着されるので、汚物を回収するために、袋体内に一方の手を挿入して汚物を吸水性シートによって把持して、前述のように吸水性シートが内側となるように、前記吸水性シートによって汚物を把持したままの状態を維持して、袋体を他方の手によって反転すると、前記開口部封止用テープが露出するので、汚物を一方の手から持ち換えずに把持したままで、剥離シートを他方の手で剥離し、袋体の開口部付近に巻付けて汚物を収容した袋体を封止することができ、排便などの汚物の回収作業の容易性および確実性を向上し、衛生的に排便を回収することができる。
【００３７】
請求項２記載の本発明によれば、吸水性シートに含浸された消臭剤によって、袋体の開口部が前記開口部封止シートに完全に封止されずに臭気が外部へ漏洩したときの臭いの強さを緩和し、または回収後に自宅のトイレへ汚物を流して処分するために袋体を開放したときの臭気の放散による不快感を緩和することができる。
【００３８】
請求項３記載の本発明によれば、袋体が光不透過性または光散乱性合成樹脂から成ることによって、袋体内に回収された排便などの汚物が外部から直接見えず、清浄感および清潔感の低下を抑制することができる。
【００３９】
請求項４記載の本発明によれば、袋体に抗菌剤が塗布されるので、汚物とともに排泄された大腸菌などの病原菌の繁殖を抑制することができる。
【図面の簡単な説明】
【図１】本発明の実施の一形態のペット用汚物回収袋１を示す断面図である。
【図２】ペット用汚物回収袋１の外観を示す斜視図である。
【図３】開口部封止用テープ１４を簡略化して示す断面図であり、図３（１）は開口部封止用テープ１４が折畳まれた状態を示し、図３（２）は開口部封止用テープ１４が引出された状態を示す。
【図４】ペット用汚物回収袋１による汚物Ｍの回収手順を説明するための図であり、図４（１）は携帯したペット用汚物回収袋１を汚物Ｍの回収のために広げた状態を示し、図４（２）はペット用汚物回収袋１内に一方の手３０を挿入した状態を示し、図４（３）はペット用汚物回収袋１によって汚物Ｍを把持する状態を示し、図４（４）はペット用汚物回収袋１を裏返す反転作業の開始状態を示し、図４（５）は反転したペット用汚物回収袋１に汚物Ｍを回収した状態を示し、図４（６）は汚物Ｍを回収したペット用汚物回収袋１の開口部３が開口部封止用テープ１４によって封止した状態を示す。
【符号の説明】
１　ペット用汚物回収袋
２　底部２
３　開口部
４　袋体
５　外方に臨む一方の表面
６　凹凸
７　吸水性シート
８　内面
９　長手方向一端部
１０　長手方向他端部
１２　剥離シート
１４　開口部封止用テープ
１６〜１８　粘着層
【図１】
2004081078.tif 000003
【図２】
2004081078.tif 000004
【図３】
2004081078.tif 000005
【図４】
2004081078.tif 000006